(57)【要約】      （修正有）【課題】電動ドライバーに着脱自在な電動ドライバーと電動はさみの接続ホルダーを提供する。【解決手段】電動ドライバーａのモーター部１の上方部２から左側方部と右側方部４にかけ押圧嵌着するバンド体を形成し、バンド体の左側上方部と右側上方部に、接続杆６、７を取着せしめる左側接続部１０と、右側接続部１１を夫々形成せしめ、前記バンド体の下方端部１３に開放部材１４を展開自在に接続せしめると共に、接続杆６、７の前方部を、電動はさみｂの本体１５に取着せしめた。【選択図】図３
0003207747.tif 000002
【実用新案登録請求の範囲】
【請求項１】
電動ドライバーと電動はさみを接続せしめる接続ホルダーにおいて、
前記電動ドライバーのモーター部の上方部から左側方部と右側方部にかけ押圧嵌着するバンド体を形成し、前記バンド体の左側上方部と右側上方部に、接続杆を取着せしめる左側接続部と、右側接続部を夫々形成せしめ、前記バンド体の下方端部に開放部材を展開自在に接続せしめると共に、前記接続杆の前方部を、前記電動はさみの本体に取着せしめることを特徴とする電動ドライバー及び電動はさみの接続ホルダー。
【請求項２】
前記接続杆の前方部に、前記電動はさみの本体の締付け用ボルト孔に貫通するボルトを取着せしめることを特徴とする請求項１に記載の電動ドライバー及び電動はさみの接続ホルダー。
【請求項３】
前記左側接続部と右側接続部に、夫々挿入孔が形成せしめられていることを特徴とする請求項１又は２に記載の電動ドライバー及び電動はさみの接続ホルダー。
【請求項４】
前記ボルトは、一端部に頭部を、他端部にネジを刻設し、前記ネジにナットを螺着せしめると共に、前記ボルトを前記接続杆の前方部に接続せしめることを特徴とする請求項１又は２又は３に記載の電動ドライバー及び電動はさみの接続ホルダー。
【請求項５】
前記接続杆の後方端部に、抜止め部を形成せしめることを特徴とする請求項１又は２又は３又は４に記載の電動ドライバー及び電動はさみの接続ホルダー。
【請求項６】
前記接続杆が、線材にて形成せしめられていることを特徴とする請求項１又は２又は３又は４又は５に記載の電動ドライバー及び電動はさみの接続ホルダー。
【請求項７】
前記開放部材は、該開放部材を構成する脚部が、前記バンド体の下方端部に挿込まれ、回動自在にて形成せしめられていることを特徴とする請求項１又は２又は３又は４又は５又は６に記載の電動ドライバー及び電動はさみの接続ホルダー。
【請求項８】
前記バンド体が、前記電動ドライバーのモーター部の嵌挿時に該モーター部を押圧し、且つ嵌着せしめることができるように弾性資材にて形成せしめられていることを特徴とする請求項１又は２又は３又は４又は５又は６又は７に記載の電動ドライバー及び電動はさみの接続ホルダー。
【請求項９】
前記バンド体の上方部に、切替スイッチの窓孔を形成せしめられていることを特徴とする請求項１又は２又は３又は４又は５又は６又は７又は８に記載の電動ドライバー及び電動はさみの接続ホルダー。
【考案の詳細な説明】
【技術分野】
【０００１】
本考案は、電動ドライバーに着脱自在な電動ドライバーと電動はさみの接続ホルダーに関するものである。
【背景技術】
【０００２】
従来、別設する電動はさみを電動ドライバーに取付け、電動はさみに突設するハンドルを左手で握持し、さらに右手で前記電動ドライバーを握持して、ステンレス板や金網切りや、その他ステンレス板をカーブ切りする電動はさみ（ロータリーシアー）が市販されている。
【０００３】
前記の従来市販の電動はさみは、前記電動ドライバーにセット後、前記のようなステンレス板や金網等のカット作業時に、左手で前記電動はさみの本体に垂直状に突設するハンドルをしっかりとつかみながら、同時に作業者の右手を電動ドライバーのモーター部と充電池部の間に形成されている握持部をしっかりと握持しながら作業を進めなければならなかった。
【０００４】
そのため、前記の従来市販されている電動はさみは、作業が煩雑で、しかも作業効率が良好とは云えなかった。
【０００５】
さらに、従来電動ハサミとして、下記特許文献１（特開２００５−２２４１２２号公報）が開示されている。
【０００６】
前記開示の電動ハサミは、電動ドライバーに着脱自在にセットして使用するものではなく、図１〜図３に図示されているように、本体１と該本体１に着脱自在な刃体２とから構成されている。
【０００７】
前記した従来開示の本体１に着脱自在な電動ハサミの刃体２には、作業者の左手でしっかり握りしめるためのハンドルが形成されていない。
【先行技術文献】
【特許文献】
【０００８】
【特許文献１】特開２００５−２２４１２２号公報
【考案の概要】
【考案が解決しようとする課題】
【０００９】
従来市販されている電動ドライバーに嵌脱自在にセットせしめる電動はさみは、作業時に作業者の一方の左手で電動はさみより突設するハンドルを、しっかり握りしめ、他方の右手で電動ドライバーの握持部を握持しながら、ステンレス板や金網等のカット作業をするものであり、作業者の両手が拘束され作業性が良好とは云えなかった。
【００１０】
さらに、特許文献１に図示されている電動ハサミは、刃体２を電動ドライバーに着脱自在にセットしながらステンレス板や金網切り等の作業ができるものではなかった。
【００１１】
また、前記した特許文献１に開示の電動ハサミの刃体２には、作業者の左手で握持するハンドルは形成されていない。
【００１２】
しかるに、本考案は、電動はさみを構成する本体の締付け用ボルト孔にボルトを貫通した後、電動ドライバーのチャックに前記電動はさみの後方部に突設する６．３５六角シャンクを嵌着し、嵌着後は接続具を構成するバンド体の下方の両端部に接続せしめている２つの開放部材を、手指を引掛けながら外側方に展開せしめながら、電動ドライバーのモーター部の上方部から左側方部と右側方部にかけて嵌挿すると、前記電動はさみと電動ドライバーが確実に接続せしめられる。
【００１３】
そのため、作業者の左手が電動はさみのハンドルを握持する必要がなくなり、両手使用の課題を解決できた。
【００１４】
さらに本考案は、前記のように電動ドライバーを片方の手指のみの使用だけで、ステンレス板や金網等の切断作業が可能となり、作業効率を大幅にアップせしめて作業性の不良という欠点を一挙に解決した。
【課題を解決するための手段】
【００１５】
課題を解決するための手段として、請求項１に記載の考案は、電動ドライバーａと電動はさみｂを接続せしめる接続ホルダーＡにおいて、
前記電動ドライバーａのモーター部１の上方部２から左側方部３と右側方部４にかけ押圧嵌着するバンド体５を形成し、前記バンド体５の左側上方部と右側上方部に、接続杆６、７を取着せしめる左側接続部１０と、右側接続部１１を夫々形成せしめ、前記バンド体５の下方端部１２、１３に開放部材１４を展開自在に接続せしめると共に、前記接続杆６、７の前方部を、前記電動はさみｂの本体１５に取着せしめることを特徴とする電動ドライバー及び電動はさみの接続ホルダーである。
【００１６】
上記課題を解決するための手段として、請求項２に記載の考案は、前記接続杆６、７の前方部に、前記電動はさみｂの本体１５の締付け用ボルト孔１６に貫通するボルト１７を取着せしめることを特徴とする請求項１に記載の電動ドライバー及び電動はさみの接続ホルダーである。
【００１７】
上記課題を解決するための手段として、請求項３に記載の考案は、前記左側接続部１０と右側接続部１１に、夫々挿入孔８、９が形成せしめられていることを特徴とする請求項１又は２に記載の電動ドライバー及び電動はさみの接続ホルダーである。
【００１８】
上記課題を解決するための手段として、請求項４に記載の考案は、前記ボルト１７は、一端部に頭部１８を、他端部にネジ１９を刻設し、前記ネジ１９にナット２０を螺着せしめると共に、前記ボルト１７を前記接続杆６、７の前方部に接続せしめることを特徴とする請求項１又は２又は３に記載の電動ドライバー及び電動はさみの接続ホルダーである。
【００１９】
上記課題を解決するための手段として、請求項５に記載の考案は、前記接続杆６、７の後方端部に、抜止め部２１を形成せしめることを特徴とする請求項１又は２又は３又は４に記載の電動ドライバー及び電動はさみの接続ホルダーである。
【００２０】
上記課題を解決するための手段として、請求項６に記載の考案は、前記接続杆６、７が、線材にて形成せしめられていることを特徴とする請求項１又は２又は３又は４又は５に記載の電動ドライバー及び電動はさみの接続ホルダーである。
【００２１】
上記課題を解決するための手段として、請求項７に記載の考案は、前記開放部材１４は、該開放部材１４を構成する脚部２２が、前記バンド体５の下方端部１２、１３に挿込まれ、回動自在にて形成せしめられていることを特徴とする請求項１又は２又は３又は４又は５又は６に記載の電動ドライバー及び電動はさみの接続ホルダーである。
【００２２】
上記課題を解決するための手段として、請求項８に記載の考案は、前記バンド体５が、前記電動ドライバーａのモーター部１の嵌挿時に該モーター部１を押圧し、且つ嵌着せしめることができるように弾性資材にて形成せしめられていることを特徴とする請求項１又は２又は３又は４又は５又は６又は７に記載の電動ドライバー及び電動はさみの接続ホルダーである。
【００２３】
上記課題を解決するための手段として、請求項９に記載の考案は、前記バンド体５の上方部に、切替スイッチの窓孔２３を形成せしめられていることを特徴とする請求項１又は２又は３又は４又は５又は６又は７又は８に記載の電動ドライバー及び電動はさみの接続ホルダーである。
【考案の効果】
【００２４】
本考案は前記した構成なので、電動ドライバーに嵌着の従来市販の電動はさみのロータリーシアーは、前記の構成からなる接続ホルダーによって、前記電動ドライバーと電動はさみが離脱するおそれがなく、前記電動はさみのハンドルを左手で握持することなく、電動ドライバーの握持部を右手のみの握持だけで、ステンレス板や金網やステンレス板のカーブ切り作業を安全且つ迅速に作業を行うことができると共に、作業効率を著しく高めることができる優れた利点を有している。
【００２５】
さらに、本考案の電動ドライバーと電動はさみを接続せしめる接続ホルダーは、弾力性資材をもってバンド体を構成しているので、電動ドライバーのモーター部に簡単にして、しかも確実に嵌着せしめることができる。
【００２６】
本考案は、また前記バンド体に下方端部に開放部材を設けることによって前記バンド体の嵌挿及び嵌脱が極めて容易にできる利点がある。
【００２７】
本考案は、さらにバンド体に接続せしめる接続杆の前方部に接続せしめるボルトによって、電動はさみとの接続が極めて容易にして、確実に接続せしめることができる利点がある。
【００２８】
本考案は、前記バンド体の前方部に突設せしめた両接続杆によって、バンド体とボルトを確実に接続せしめることができる利点がある。
【図面の簡単な説明】
【００２９】
【図１】本考案電動ドライバー及び電動はさみの接続ホルダーの斜視図である。
【００３０】
【図２】同接続ホルダーを電動はさみと電動ドライバーにセットせしめた状態の斜視図である。
【００３１】
【図３】図２の接続ホルダーを反対側よりみた斜視図である。
【００３２】
【図４】同接続ホルダーのバンド体を取外した状態の斜視図である。
【００３３】
【図５】電動はさみを電動ドライバーに嵌着する前の一部切欠正面図である。
【００３４】
【図６】Ａは、電動はさみでステンレス板を切断している状態の斜視図、Ｂは、電動はさみで金網を切断している状態の斜視図、Ｃは、電動はさみでステンレス板のカーブ切りをしている状態の斜視図である。
【考案を実施するための最良の形態】
【００３５】
本考案の電動ドライバーと電動はさみの接続ホルダーの好適な実施形態を以下のとおり図面にしたがって説明する。なお、請求項１〜９に記載の考案の実施の形態は共通しているので、以下のとおり一括して説明する。
【００３６】
図においてＡは接続ホルダーであり、ａは接続ホルダーＡを構成する電動ドライバーであり、ｂは電動はさみである。
【００３７】
前記接続ホルダーＡの構成は、電動ドライバーａのモーター部１に押圧嵌着するバンド体５と、接続杆６、７と、ボルト１７とを主たる構成材としている。
【００３８】
前記バンド体５の構成は、電動ドライバーａのモーター部１の上方部２から左側方部３と右側方部４にかけて押圧嵌着することができるように、弾性資材にて形成されている。この弾性資材は通常鋼板製とするが限定しない。
【００３９】
さらに、前記バンド体５には、バンド体５の左側上方部と右側上方部に、２本の接続杆６、７がスライドできるように取着できる挿入孔８、９を有する左側接続部１０と右側接続部１１をバンド体５と平行状にして、且つバンド体５と一体にして形成されている。
【００４０】
前記バンド体５の両下方端部１２、１３は、開放部材１４が夫々展開自在に接続されている。そして前記開放部材１４には、脚部２２が形成されて、夫々の脚部２２が前記バンド体５の下方端部１２、１３に挿込まれている。その結果前記開放部材１４が回動自在となる。
【００４１】
図において、２１は前記接続杆６、７の後方端部に夫々取着せしめた抜止め部であり、接続杆６、７にネジを切ってナットを螺着せしめても良いので、構造上限定するものではない。
【００４２】
さらに、前記接続杆６、７は通常線材とするが限定しない。
【００４３】
図において、２３はバンド体５の上方部に形成せしめた切替スイッチの窓孔であり、形状は限定するものではない。
【００４４】
１７は前記接続杆６、７の前方部に、電動はさみｂの本体１５の締付け用ボルト孔１６に貫通せしめるボルトである。
【００４５】
前記ボルト１７は、一端部に頭部１８が、他端部にはネジ１９を刻設し、前記ネジ１９にナット２０を螺着せしめ使用する。１８ａはワッシャー、１８ｂはゴムリングである。
【００４６】
前記電動はさみｂには、後方部に６．３５の六角シャンク２５が突設されている。
【００４７】
そして該電動はさみｂの上方部には、ハンドル２４が突設されている。
【００４８】
２６は刃部である。
【００４９】
２７は前記電動ドライバーａのモーター部１の前方部に突設するチャックである。
【００５０】
２８はステンレス板、２９は金網である。
【００５１】
ｃは握り手である。
【００５２】
１ａは電動ドライバーａの握持部である。
【００５３】
（使用方法の１）
本考案の電動ドライバーａ及び電動はさみｂの接続ホルダーＡの使用方法について説明すると以下のとおりである。
【００５４】
前記電動はさみｂの本体１５の締付け用ボルト孔１６に、接続ホルダーＡを構成するボルト１７を貫通せしめ、ナット２０を締付ける。
【００５５】
つぎに、前記電動はさみｂの６．３５六角シャンク２５を前記電動ドライバーａのチャック２７に嵌着させ、前記電動ドライバーａと電動はさみｂを接続せしめる。
【００５６】
さらに、前記バンド体５の開放部材１４に両手の手指を引掛け外側方に展開させておき、大きく開いたバンド体５を、前記電動ドライバーａのモーター部１の上方部２から左側方部３と右側方部４にかけて嵌挿させる（図２、３）。
【００５７】
その際バンド体５は弾性資材によって形成されているので、前記モーター部１を外側方から強く押圧し且つ嵌着する。
【００５８】
さらに、本考案の接続ホルダーＡは、抜止め部２１付きの接続杆６、７によって、前記電動はさみｂと前記電動ドライバーａが確実に接続され離脱のおそれはない。
【００５９】
（使用方法の２）
前記のように組立てセットされた本考案の接続ホルダーＡをステンレス板２８や金網２９切りのため使用するときは、通常右手で前記電動ドライバーａの握持部１ａを握持するだけで、左手の方は、前記電動はさみｂのハンドル２４を握持しなくても作業はできる。
【００６０】
従って、ステンレス板２８や金網２９切りの作業性は極めて好適にできる。
【００６１】
（使用方法の３）
つぎに、本考案の接続ホルダーＡを取外すときの工程を説明する。
【００６２】
接続ホルダーＡを構成する開放部材１４に左右両手の手指を引掛け外側方に展開せしめ上方に持上げてやると、前記接続杆６、７が接続杆６、７の前方部に接続しているボルト１７を支点に、前記バンド体５が前記電動ドライバーａから離脱する（図４）。
【００６３】
さらに、前記電動ドライバーａのチャック２７に嵌込まれている６．３５六角シャンク２５を離脱すると、前記電動ドライバーａと電動はさみｂが分離できる。
【００６４】
そして、電動ドライバーａの単独での使用ができる。
【００６５】
以上、実施形態を図面に基づいて説明したが、本考案は、図示例の限りではなく、その技術的思想を逸脱しない範囲において、当業者が通常に行う設計変更、応用のバリエーションの範囲を含むことを念のために言及する。
【符号の説明】
【００６６】
Ａ      接続ホルダー
ａ      電動ドライバー
ｂ      電動はさみ
ｃ      握り手
１      モーター部
１ａ    握持部
２      上方部
３      左側方部
４      右側方部
５      バンド体
６      接続杆
７      接続杆
８      挿入孔
９      挿入孔
１０    左側接続部
１１    右側接続部
１２    下方端部
１３    下方端部
１４    開放部材
１５    本体
１６    ボルト孔
１７    ボルト
１８    頭部
１８ａ  ワッシャー
１８ｂ  ゴムリング
１９    ネジ
２０    ナット
２１    抜止め部
２２    脚部
２３    窓孔
２４    ハンドル
２５    六角シャンク
２６    刃部
２７    チャック
２８    ステンレス板
２９    金網
【図１】
0003207747.tif 000003
【図２】
0003207747.tif 000004
【図３】
0003207747.tif 000005
【図４】
0003207747.tif 000006
【図５】
0003207747.tif 000007
【図６】
0003207747.tif 000008